(57)【要約】【課題】下位装置が有する複数の記憶部の情報を上位装置が読み込むことが可能な情報管理システムを提供する。【解決手段】情報管理システム１は、上位装置１０および下位装置２０を有する。下位装置２０は、物理的に異なる第１記憶部３０および第２記憶部４０を有する。第１記憶部３０は、アプリケーションプログラムを有する。第２記憶部４０は、アプリケーションに参照される測定情報を有する。アプリケーションプログラムは、下位装置２０が第１記憶部３０のファイル構成情報を参照して上位装置１０が第１記憶部３０のアプリケーションプログラムを読み込むことができる状態と、下位装置２０が第２記憶部４０のファイル構成情報を参照して上位装置１０が第２記憶部４０の測定情報を読み込むことができる状態とを切り替える切替プログラムを有する。【選択図】図１
2013127676.tif 000002
【特許請求の範囲】
【請求項１】
記憶部を有する下位装置と、前記記憶部の情報を読み込む上位装置とを有する情報管理システムにおいて、
前記記憶部は、第１記憶部と第２記憶部とを有し、
前記第１記憶部は、前記上位装置に読み込まれる第１下位情報を記憶するための第１記憶領域と、前記第１記憶領域内のアドレス情報である第１アドレス情報とを有し、
前記第２記憶部は、前記上位装置に読み込まれる第２下位情報を記憶するための第２記憶領域と、前記第２記憶領域内のアドレス情報である第２アドレス情報とを有し、
前記情報管理システムは、前記上位装置において前記第１下位情報および前記第２下位情報のうちの前記第１下位情報の読み込みが可能な状態Ａと、前記上位装置において前記第１下位情報および前記第２下位情報のうちの前記第２下位情報の読み込みが可能な状態Ｂとを切り替える切替プログラムを有する。
【請求項２】
前記第１下位情報は、アプリケーションプログラムであり、
前記第２下位情報は、前記アプリケーションプログラムに基づいて実行されるアプリケーションにより参照される参照情報である
請求項１に記載の情報管理システム。
【請求項３】
前記第１記憶部および前記第２記憶部の少なくとも一方は、前記下位装置の下位制御部に内蔵される
請求項１または２に記載の情報管理システム。
【請求項４】
前記切替プログラムは、前記下位装置が前記第１下位情報を参照する状態を前記状態Ａとして選択し、前記下位装置が前記第２下位情報を参照する状態を前記状態Ｂとして選択する
請求項１〜３のいずれか一項に記載の情報管理システム。
【請求項５】
前記切替プログラムは、前記上位装置が前記アプリケーションを展開したとき、前記状態Ａから前記状態Ｂに切り替える
請求項２、または請求項２を引用する請求項３、または請求項２を引用する請求項４に記載の情報管理システム。
【請求項６】
前記下位装置は、前記状態Ａから前記状態Ｂへの切り替えが完了したとき、切替完了信号を前記上位装置に送信する
請求項１〜５のいずれか一項に記載の情報管理システム。
【請求項７】
前記上位装置は、前記アプリケーションを展開してから所定時間が経過したとき、前記第２下位情報を前記下位装置に要求する
請求項５に記載の情報管理システム。
【請求項８】
前記アプリケーションプログラムは、前記切替プログラムを含む
請求項２、または少なくとも請求項２を引用する請求項３〜７のいずれか一項に記載の情報管理システム。
【請求項９】
前記第１記憶部および前記第２記憶部は、書き込み速度が互いに異なる
請求項１〜８のいずれか一項に記載の情報管理システム。
【請求項１０】
前記下位装置は、使用者の動作に応じた信号を出力する測定センサーを有し、
前記第２下位情報は、前記測定センサーの出力に基づいて得られる測定情報であり、
前記第２記憶部は、前記測定情報を記憶する
請求項１〜９のいずれか一項に記載の情報管理システム。
【請求項１１】
前記第１記憶部および前記第２記憶部は、ＦＡＴ形式のファイルシステムを有する
請求項１〜１０のいずれか一項に記載の情報管理システム。
【発明の詳細な説明】
【技術分野】
【０００１】
本発明は、記憶部を有する下位装置と、記憶部の情報を読み込む上位装置とを有する情報管理システムに関する。
【背景技術】
【０００２】
特許文献１は、上記情報管理システムの一例を開示している。
【先行技術文献】
【特許文献】
【０００３】
【特許文献１】特開２０００−３０５８３９号
【発明の概要】
【発明が解決しようとする課題】
【０００４】
特許文献１の情報管理システムの下位装置は、１つの記憶部を有する。
一方、上位装置と下位装置との間における情報の送信および受信の効率化を考えたとき、下位装置に複数の記憶部を備えることが好ましい。他方、特許文献１の上位装置は、複数の記憶部から個別に情報を読み出す機能を有していない。このため、情報の送信および受信の効率化を図ることに関して改善の余地を有する。
【０００５】
本発明は、上記課題を解決するため、下位装置が有する複数の記憶部の情報を上位装置が読み込むことが可能な情報管理システムを提供することを目的とする。
【課題を解決するための手段】
【０００６】
・本発明の情報管理システムは、記憶部を有する下位装置と、前記記憶部の情報を読み込む上位装置とを有する情報管理システムにおいて、前記記憶部は、第１記憶部と第２記憶部とを有し、前記第１記憶部は、前記上位装置に読み込まれる第１下位情報を記憶するための第１記憶領域と、前記第１記憶領域内のアドレス情報である第１アドレス情報とを有し、前記第２記憶部は、前記上位装置に読み込まれる第２下位情報を記憶するための第２記憶領域と、前記第２記憶領域内のアドレス情報である第２アドレス情報とを有し、前記情報管理システムは、前記上位装置において前記第１下位情報および前記第２下位情報のうちの前記第１下位情報の読み込みが可能な状態Ａと、前記上位装置において前記第１下位情報および前記第２下位情報のうちの前記第２下位情報の読み込みが可能な状態Ｂとを切り替える切替プログラムを有することを特徴とする。
【０００７】
・上記情報管理システムにおいて、前記第１下位情報は、アプリケーションプログラムであり、前記第２下位情報は、前記アプリケーションプログラムに基づいて実行されるアプリケーションにより参照される参照情報であることが好ましい。
【０００８】
・上記情報管理システムにおいて、前記第１記憶部および前記第２記憶部の少なくとも一方は、前記下位装置の下位制御部に内蔵されることが好ましい。
・上記情報管理システムにおいて、前記切替プログラムは、前記下位装置が前記第１下位情報を参照する状態を前記状態Ａとして選択し、前記下位装置が前記第２下位情報を参照する状態を前記状態Ｂとして選択することが好ましい。
【０００９】
・上記情報管理システムにおいて、前記切替プログラムは、前記上位装置が前記アプリケーションを展開したとき、前記状態Ａから前記状態Ｂに切り替えることが好ましい。
・上記情報管理システムにおいて、前記下位装置は、前記状態Ａから前記状態Ｂへの切り替えが完了したとき、切替完了信号を前記上位装置に送信することが好ましい。
【００１０】
・上記情報管理システムにおいて、前記上位装置は、前記アプリケーションを展開してから所定時間が経過したとき、前記第２下位情報を前記下位装置に要求することが好ましい。
【００１１】
・上記情報管理システムにおいて、前記アプリケーションプログラムは、前記切替プログラムを含むことが好ましい。
・上記情報管理システムにおいて、前記第１記憶部および前記第２記憶部は、書き込み速度が互いに異なることが好ましい。
【００１２】
・上記情報管理システムにおいて、前記下位装置は、使用者の動作に応じた信号を出力する測定センサーを有し、前記第２下位情報は、前記測定センサーの出力に基づいて得られる測定情報であり、前記第２記憶部は、前記測定情報を記憶することが好ましい。
【００１３】
・上記情報管理システムにおいて、前記第１記憶部および前記第２記憶部は、ＦＡＴ形式のファイルシステムを有することが好ましい。
【発明の効果】
【００１４】
本発明は、下位装置が有する複数の記憶部の情報を上位装置が読み込むことが可能な情報管理システムを提供する。
【図面の簡単な説明】
【００１５】
【図１】本発明の実施形態の情報管理システムについて、電気的な構成を示すブロック図。
【図２】実施形態の情報管理システムについて、上位装置により実行される「測定情報表示制御」の実行に基づく情報管理システムの各構成要素の動作を示すシーケンス図。
【発明を実施するための形態】
【００１６】
図１を参照して、情報管理システム１の構成について説明する。
情報管理システム１は、測定情報を蓄積する携帯デバイスとして機能する下位装置２０と、オペレーティングシステムを有するとともに携帯デバイスに対するホストとして機能する上位装置１０とを有する。下位装置２０の具体的な構成の一例としては、測定情報が頻繁に書き込まれる装置である活動量計および歩数計が挙げられる。また、上位装置１０の具体的な構成の一例としては、測定情報を視覚的に処理することのできる装置であるパーソナルコンピューター、テレビ、および携帯電話が挙げられる。なお、測定情報は「第２下位情報」および「参照情報」に相当する。
【００１７】
上位装置１０は、各種制御を行う上位制御部１１と、下位装置２０が接続されるポート１２と、画像情報を表示する表示部１３と、上位装置１０の各構成要素および下位装置２０の各構成要素のそれぞれに対して電力を供給する電源（図示略）とを有する。ポート１２の具体的な構成の一例としては、ＵＳＢポートが挙げられる。上位装置１０の電源は、下位装置２０のポート接続部５０がポート１２に接続されているとき、ポート１２およびポート接続部５０を介して下位装置２０に電力を供給する。
【００１８】
下位装置２０は、各種制御を行う下位制御部２１と、演算処理を行う中央演算処理装置２２と、アプリケーションプログラムを記憶する第１記憶部３０と、測定情報を記憶する第２記憶部４０とを有する。さらに、上位装置１０のポート１２に接続されるポート接続部５０と、使用者の動作に応じた信号を出力する測定センサー６０を有する。中央演算処理装置２２および第１記憶部３０は、下位制御部２１に内蔵される。測定センサー６０の具体的な構成の一例としては、加速度センサーが挙げられる。また、下位装置２０は、電源として電池を内蔵する。なお、アプリケーションプログラムは「第１下位情報」に相当する。
【００１９】
第１記憶部３０は、第１記憶領域３１と、区画情報記憶領域３２と、ディレクトリ記憶領域３３とを有する。第１記憶領域３１は、複数の領域に区画されている。また、測定情報を視覚的に表示するためのアプリケーションプログラムと、アプリケーションプログラムを自動的に実行するための自動参照情報とを記憶している。第１記憶領域３１の各領域は、個別アドレス番号が予め指定されている。
【００２０】
アプリケーションプログラムは、表示プログラムと、切替プログラムとを有する。表示プログラムは、画像情報と測定情報とを組み合わせて表示部１３に表示するためのプログラムである。また、切替プログラムは、下位制御部２１が参照するファイル構成情報を第１記憶部３０の区画情報記憶領域３２に記憶されるファイル構成情報から、第２記憶部４０の区画情報記憶領域４２に記憶されるファイル構成情報に切り替えるための切替信号を送信するための切替プログラムである。自動参照情報は、上位装置１０が下位装置２０を検出したとき、上位装置１０にアプリケーションプログラムを読み込ませるためのプログラムである。
【００２１】
区画情報記憶領域３２は、第１記憶領域３１においてアプリケーションプログラムおよび自動参照情報が記憶される複数の個別アドレス番号を１つのファイル構成情報として記憶する。なお、第１記憶部３０の個別アドレス番号は「第１アドレス情報」に相当する。ディレクトリ記憶領域３３は、第１記憶領域３１に記憶される各種情報に付されるファイル名と第１記憶領域３１の個別アドレス番号とを対応付けるディレクトリを有する。
【００２２】
ディレクトリは、１つのファイル名と、第１記憶領域３１の１つの個別アドレス番号とを対応付けて１つの組として記憶する。また、１つのファイル名と、第１記憶領域３１の１つの個別アドレス番号とにより構成される組を複数記憶する。
【００２３】
第２記憶部４０は、第２記憶領域４１と、区画情報記憶領域４２とを有する。第２記憶領域４１は、複数の領域に区画されている。第２記憶領域４１の各領域は、個別アドレス番号が予め指定されている。区画情報記憶領域４２は、第２記憶領域４１において測定情報が記憶される複数の個別アドレス番号を１つのファイル構成情報として記憶する。なお、第２記憶部４０の個別アドレス番号は「第２アドレス情報」に相当する。ディレクトリ記憶領域４３は、第２記憶領域４１に記憶される各種情報に付されるファイル名と第２記憶領域４１の個別アドレス番号とを対応付けるディレクトリを有する。
【００２４】
ディレクトリは、１つのファイル名と、第２記憶領域４１の１つの個別アドレス番号とを対応付けて１つの組として記憶する。また、１つのファイル名と、第２記憶領域４１の１つの個別アドレス番号とにより構成される組を複数記憶する。
【００２５】
第１記憶部３０および第２記憶部４０は、それぞれＦＡＴ（File Allocation Table ）形式のファイルシステムとして初期化されている。また、ファイル構成情報を記憶するためのＦＡＴテーブルを有する。第１記憶部３０のＦＡＴテーブルは、第１記憶領域３１の個別アドレス番号により構成される１または複数のファイル構成情報を記憶することができる。第２記憶部４０のＦＡＴテーブルは、第２記憶領域４１の個別アドレス番号により構成される１または複数のファイル構成情報を記憶することができる。
【００２６】
測定情報は、アプリケーションプログラムと比較して書き換え頻度が高く、かつ容量が小さい。このため、第２記憶部４０の書き換え速度は、第１記憶部３０よりも速いことが好ましい。また、第２記憶部４０の容量は、第１記憶部３０よりも小さいことが許容される。このことは、第１記憶部３０の書き換え速度が第２記憶部４０よりも遅いことが許容されること、および第１記憶部３０の容量が第２記憶部４０よりも大きいことが好ましいことを意味する。
【００２７】
第１記憶部３０の具体的な構成の一例としては、フラッシュメモリ、ハードディスク、テープ、およびＲＯＭが挙げられる。第２記憶部４０の具体的な構成の一例としては、ＥＥＰＲＯＭ（Electrically Erasable Programmable Read-Only Memory ）およびＦｅＲＡＭ（Ferroelectric Random Access Memory）等が挙げられる。
【００２８】
下位制御部２１は、第１記憶部３０および第２記憶部４０の少なくとも一方において情報が更新されたとき、この情報の更新に応じてディレクトリを更新する。また、更新された情報に対応してファイル構成情報が記憶されるとき、ファイル構成情報のヘッダに該当する個別アドレス番号を抽出し、この個別アドレス番号を記憶する。
【００２９】
図１を参照して、情報管理システム１が実行する制御について説明する。
上位制御部１１は、下位装置２０に要求を送信する上位制御を行う。下位制御部２１は、上位制御の要求に応じて情報を読み込む下位制御と、測定センサー６０の出力信号に基づいて測定情報を算出する測定制御とを行う。上位制御部１１および下位制御部２１は、上位制御および下位制御を連携して実行する測定情報表示制御を実行する。
【００３０】
上位制御は、下位装置２０の第１記憶部３０または第２記憶部４０から情報を取り出すための要求を下位装置２０に対して送信する。下位制御は、上位装置１０から受信した要求に対応する情報を第１記憶部３０または第２記憶部４０から読み出す。測定制御は、測定センサー６０から受信した出力信号と、出力信号を測定情報に換算するための演算式とを用いて測定情報を算出する。測定情報表示制御は、第２記憶部４０に記憶されている測定情報を視覚的に表示する。
【００３１】
測定制御は、具体的には以下の処理を含む。
（Ａ）測定センサー６０の出力信号に基づいて測定情報を算出する。
（Ｂ）所定数の測定情報が蓄積されるまで（Ａ）の処理を繰り返す。
（Ｃ）測定情報が所定数に達したとき、蓄積した測定情報にファイル名を付与する。
（Ｄ）ファイル名を付与した複数の測定情報を第２記憶領域４１に記憶する。
（Ｅ）（Ｃ）のファイル名と第２記憶領域４１の個別アドレス番号とを関連付ける。
（Ｆ）（Ｅ）により関連付けた情報をディレクトリ記憶領域４３に記憶する。
（Ｇ）ディレクトリを更新する。
【００３２】
図２を参照して、測定情報表示制御について説明する。
測定情報表示制御は、以下の順に行われる。
（Ａ）上位制御部１１は、上位装置１０に下位装置２０が接続されたことを検出したとき、自動参照情報およびディレクトリを要求する信号を下位制御部２１に送信する。
【００３３】
（Ｂ）下位制御部２１は、上位制御部１１から要求信号を受信したとき、自動参照情報、第１記憶部３０のディレクトリ、および第２記憶部４０のディレクトリを読み込む。次に、自動参照情報、第１記憶部３０のディレクトリ、および第２記憶部４０のディレクトリを含む信号を上位制御部１１に送信する。ならびに、参照するファイル構成情報を第１記憶部３０のファイル構成情報に設定する。なお、ファイル構成情報の設定後の情報管理システム１の状態は「状態Ａ」に相当する。
【００３４】
（Ｃ）上位制御部１１は、下位制御部２１から自動参照情報、第１記憶部３０のディレクトリ、および第２記憶部４０のディレクトリを含む信号を受信したとき、アプリケーションプログラムのファイル名を自動参照情報から抽出する。次に、アプリケーションプログラムと対応付けられる個別アドレス番号を、第１記憶部３０のディレクトリ、および第２記憶部４０のディレクトリから読み込む。次に、アプリケーションプログラムと対応付けられる個別アドレス番号を含む信号を下位制御部２１に送信する。すなわち、下位制御部２１に対してアプリケーションプログラムの送信を要求する。
【００３５】
（Ｄ）下位制御部２１は、上位制御部１１から個別アドレス番号を含む信号を受信したとき、個別アドレス番号に基づいて第１記憶領域３１からアプリケーションプログラムを読み込む。次に、アプリケーションプログラムを含む信号を上位制御部１１に送信する。
【００３６】
（Ｅ）上位制御部１１は、下位制御部２１からアプリケーションプログラムを含む信号を受信したとき、アプリケーションを展開する。次に、アプリケーションプログラムの切替プログラムに基づいて、切替信号を下位装置２０に送信する。
【００３７】
（Ｆ）下位制御部２１は、上位制御部１１から受信した切替信号に基づいて、参照するファイル構成情報を第１記憶部３０のファイル構成情報から、第２記憶部４０のファイル構成情報に切り替える。次に、参照するファイル構成情報の切り替えが完了したとき、切替完了信号を上位装置１０に送信する。なお、ファイル構成情報の設定後の情報管理システム１の状態は「状態Ｂ」に相当する。
【００３８】
（Ｇ）上位制御部１１は、測定情報のファイル名をアプリケーションプログラムから抽出する。次に、測定情報と対応付けられる個別アドレス番号を、第１記憶部３０のディレクトリ、および第２記憶部４０のディレクトリから読み込む。次に、測定情報と対応付けられる個別アドレス番号を含む信号を下位制御部２１に送信する。すなわち、下位制御部２１に対して測定情報の送信を要求する。
【００３９】
（Ｈ）下位制御部２１は、上位制御部１１から個別アドレス番号を含む信号を受信したとき、個別アドレス番号に基づいて第２記憶領域４１から測定情報を読み込む。次に、測定情報を含む信号を上位制御部１１に送信する。
【００４０】
（Ｉ）上位制御部１１は、下位制御部２１から測定情報を含む信号を受信したとき、アプリケーションにより測定情報を表示部１３に表示する。具体的には、アプリケーションが有する画像情報に測定情報を組み込むことにより表示情報を生成し、この表示情報に基づいて表示部１３に測定情報を含む画像を表示する。
【００４１】
本実施形態の情報管理システム１は以下の効果を奏する。
（１）情報管理システム１は、下位装置２０が第１記憶部３０のファイル構成情報を参照する状態と、第２記憶部４０のファイル構成情報を参照する状態とを、切替信号に応じて切り替える。この構成によれば、上位制御部１１は、切替信号により参照するファイル構成情報を切り替えることにより、下位装置２０の物理的に異なる第１記憶部３０および第２記憶部４０の両方の情報を読み込むことができる。
【００４２】
（２）下位装置２０は、書き込み速度が互いに異なる２種類の記憶部、すなわち第１記憶部３０および第２記憶部４０を有する。第１記憶部３０は、アプリケーションプログラムを記憶するための第１記憶領域３１を有する。第２記憶部４０は、測定情報を記憶するための第２記憶領域４１を有する。この構成によれば、情報の使用頻度に応じて記憶部に各種の情報を保存することができる。このため、上位装置１０と下位装置２０との間における情報の送信および受信の効率化が図られる。また、情報の容量に応じて第１記憶部３０および第２記憶部４０の容量を選択することができる。このため、記憶容量の最適化によりコストの低減を図ることができる。また、情報の更新頻度に応じて第１記憶部３０および第２記憶部４０を選択することができる。このため、電力消費量を低減することができる。
【００４３】
（３）第１記憶部３０は、下位制御部２１に内蔵される。すなわち、第１記憶部３０が下位制御部２１の記憶部としても機能する。この構成によれば、下位制御部２１のための記憶部を下位制御部２１とは別に有する構成と比較して、下位装置２０の構造が簡略化される。
【００４４】
（４）上位制御部１１は、切替完了信号を下位制御部２１に送信する。この構成によれば、アプリケーションの展開後、所定時間が経過してから切替信号が送信される場合と比較して、アプリケーションが展開されたとき、直ちに測定情報を読み込むことができる。
【００４５】
（５）アプリケーションプログラムは、切替プログラムを有する。この構成によれば、アプリケーションプログラムとは個別に切替プログラムを用意する場合と比較して、プログラム全体の容量を少なくすることができる。
【００４６】
本発明は、上記実施形態以外の実施形態を含む。以下、本発明のその他の実施形態としての上記実施形態の変形例を示す。なお、以下の各変形例は、互いに組み合わせることもできる。
【００４７】
・実施形態の下位制御部２１は、参照するファイル構成情報の切り替えが完了したとき切替完了信号を上位制御部１１に送信する。そして、上位制御部１１は、切替完了信号に基づいて下位制御部２１に測定情報を要求する。一方、変形例の切替プログラムは、下位制御部２１は、参照するファイル構成情報の切り替えが完了したとき切替完了信号を上位制御部１１に送信しない。また、上位制御部１１は、アプリケーションが展開されてから所定時間が経過したとき、切替完了信号に基づいて下位制御部２１に測定情報を要求する。
【００４８】
・実施形態の下位制御部２１は、上位制御部１１から自動参照情報およびディレクトリテーブルの要求を受信したとき、参照するファイル構成情報を第１記憶部３０のファイル構成情報に設定する。一方、変形例の下位装置２０は、上位装置１０および下位装置２０が接続されたとき、参照するファイル構成情報を第１記憶部３０のファイル構成情報に設定する。
【００４９】
・実施形態の切替プログラムは、アプリケーションプログラムが有する。一方、変形例の切替プログラムは、アプリケーションプログラムとは個別に記憶される。この変形例においては、切替プログラムを上位装置１０に記憶させることもできる。
【００５０】
・実施形態の情報管理システム１は、アプリケーションプログラムを記憶する第１記憶部３０と、測定情報を記憶する第２記憶部４０とを有する。一方、変形例の情報管理システム１は、測定情報を記憶する第１記憶部３０と、アプリケーションプログラムを記憶する第２記憶部４０とを有する。この変形例の第１記憶部３０は、実施形態の第２記憶部４０と同じ種類の記憶部により構成される。また、この変形例の第２記憶部４０は、実施形態の第１記憶部３０と同じ種類の記憶部により構成される。
【００５１】
・実施形態の第２記憶部４０は、測定情報を視覚的に表示するためのアプリケーションと、アプリケーションに参照される参照情報としての測定情報を記憶する。一方、変形例の第２記憶部４０が記憶するアプリケーションプログラムおよび参照情報の一例としては、次のものが挙げられる。すなわち、変形例の第２記憶部４０は、アプリケーションプログラムとして画像編集アプリケーションプログラムを記憶し、参照情報として写真等の画像情報を記憶する。また別の変形例の第２記憶部４０は、アプリケーションプログラムとして文書編集アプリケーションプログラムを記憶し、参照情報としてテキスト情報を記憶する。なお、各変形例の下位装置２０は、測定センサー６０を省略することができる。
【００５２】
・実施形態の下位装置２０は、下位制御部２１に第１記憶部３０を内蔵する。一方、変形例の下位装置２０は、下位制御部２１から独立した記憶部として第１記憶部３０を内蔵する。この変形例の下位制御部２１は、第１記憶部３０および第２記憶部４０とは異なる記憶部を有する。
【００５３】
・実施形態の第２記憶部４０は、ディレクトリ記憶領域４３にディレクトリを有する。一方、変形例の第２記憶部４０は、第１記憶部３０のディレクトリ記憶領域３３にディレクトリを有する。まあ、ディレクトリ記憶領域４３を省略する。この変形例においては、第１記憶部３０のディレクトリおよび第２記憶部４０のディレクトリを１つのディレクトリとすることもできる。
【００５４】
・実施形態の情報管理システム１は、ディレクトリを有する下位装置２０と、ディレクトリを有していない上位装置１０とを有する。一方、変形例の情報管理システム１は、ディレクトリを有する上位装置１０と、ディレクトリを有していない下位装置２０とを有する。この変形例の上位装置１０は、下位装置２０に対応するデバイスドライバーのプログラムにディレクトリを記憶する。
【００５５】
・実施形態の下位装置２０は、ディレクトリを更新する。一方、変形例の下位装置２０は、ディレクトリを更新しない。また、測定情報を記憶するための複数の個別アドレス番号を予め特定し、この個別アドレス番号をディレクトリに記憶する。
【００５６】
・実施形態の下位装置２０は、互いに異なる種類の第１記憶部３０および第２記憶部４０を有する。一方、変形例の下位装置２０は、同じ種類の第１記憶部および第２記憶部を有する。なお、第１記憶部の容量および第２記憶部４０の容量としては、互いに等しい大きさおよび互いに異なる大きさの両方の関係を選択することができる。
【００５７】
・実施形態の上位装置１０は、自動参照情報に基づいて下位装置２０にアプリケーションプログラムを要求する信号を出力する。一方、変形例の上位装置１０は、下位装置２０にアプリケーションプログラムを要求する信号を出力するための操作部を有する。そして、使用者により操作部が操作されたとき、下位装置２０にアプリケーションプログラムを要求する信号を出力する。
【００５８】
・実施形態の第１記憶部３０および第２記憶部４０は、ＦＡＴ形式のファイルシステムを有する。一方、変形例の第１記憶部３０および第２記憶部４０は、ＦＡＴ形式以外のファイルシステムを有する。ＦＡＴ形式以外のファイルシステムとしては、ＮＴＦＳ（NT File System）形式のファイルシステムが挙げられる。
【００５９】
・実施形態の情報管理システム１は、携帯デバイスとしての下位装置２０を有する。一方、変形例の情報管理システム１は、室内に設置して利用されるデバイスとしての下位装置を有する。この下位装置の具体的な構成の一例としては、体組成測定装置および血圧計が挙げられる。
【符号の説明】
【００６０】
１…情報管理システム、１０…上位装置、２０…下位装置、３０…第１記憶部、３１…第１記憶領域、４０…第２記憶部、４１…第２記憶領域、６０…測定センサー。
【図１】
2013127676.tif 000003
【図２】
2013127676.tif 000004